(57)【要約】【課題】この発明は、簡易な構成で、多様な把持形態を実現して、長期間に亘る安定した竿操作を実現し得るようにすることにある。【解決手段】リールシート本体１２１の先端側に固定フード１３１を配した前方握り部１３を有し、該リールシート本体１２１を挟んだ後端側に移動操作自在な移動フード１４を有したリールシート１２を元竿杆１０に配し、この元竿杆１０の後端で、且つ、固定フード１３１の開口端から１７０ｍｍ〜３００ｍｍの範囲に、最大膨出部が竿杆方向の全長の中央より後端側に位置する形状を有した全長が４０ｍｍ〜７０ｍｍの手の平内で把持可能な後方握り部１１を配するように構成したものである。【選択図】      図１
2006006279.tif 000002
【特許請求の範囲】
【請求項１】
元竿杆に装着されたリールシート本体の先端側に固定フードを配した前方握り部が設けられ、前記リールシート本体を挟んだ後端側に移動フードが前記固定フードに対向して移動操作自在に設けられたリールシートと、
前記元竿杆の後端で、且つ、前記固定フードの開口端から１７０ｍｍ〜３００ｍｍの範囲に配置され、最大膨出部が竿杆方向の全長の中央より後端側に位置する形状を有した全長が７０ｍｍ以下の手の平内で把持可能な後方握り部と、
を具備することを特徴とする魚釣用釣竿。
【請求項２】
前記後方握り部は、後端側丸みを有した略雫型形状を有することを特徴とする請求項１記載の魚釣用釣竿。
【請求項３】
前記後方握り部は、最大膨出部の外径が前記前方握り部の最大膨出部の外径よりも小径に形成されることを特徴とする請求項１又は２記載の魚釣用釣竿。
【請求項４】
前記リールシートと前記後方握り部との間には、前記元竿杆が露出されることを特徴とする請求項１乃至３のいずれか記載の魚釣用釣竿。
【発明の詳細な説明】
【技術分野】
【０００１】
この発明は、例えば海釣り等の釣り全般に用いられる魚釣用釣竿に関する。
【背景技術】
【０００２】
一般に、魚釣用釣竿においては、リール取付用のリールシートが元竿杆に配されて、このリールシートにリールが装着される。このようなリールシートは、リールの取付脚が載置されて取付けられるリールシート本体が元竿杆に取付けられ、このリールシート本体の先端側及び後端側には、前方握り部及び後方握り部が設けられる（例えば、特許文献１参照。）。これら前方握り部及び後方握り部は、釣り人により片手で選択的に把持されて、投擲等の竿操作に供される。
【特許文献１】実開平８―１９１６４９号公報
【発明の開示】
【発明が解決しようとする課題】
【０００３】
しかしながら、上記魚釣用釣竿では、釣り人が前方握り部、あるいは後方握り部を片手で把持して、所謂、片手操作する構成のために、長時間に亘って竿操作すると、手首が疲れるという不都合を有する。
【０００４】
この発明は上記の事情に鑑みてなされたもので、簡易な構成で、多様な把持形態を実現し得るようにして、長期間に亘る安定した竿操作を実現した魚釣用釣竿を提供することを目的とする。
【課題を解決するための手段】
【０００５】
この発明は、元竿杆に装着されたリールシート本体の先端側に固定フードを配した前方握り部が設けられ、前記リールシート本体を挟んだ後端側に前記固定フードに対向した移動フードが移動操作自在に設けられたリールシートと、前記元竿杆の後端で、且つ、前記固定フードの開口端から１７０ｍｍ〜３００ｍｍの範囲に配置され、最大膨出部が竿杆方向の全長の中央より後端側に位置する形状を有した全長が７０ｍｍ以下の手の平内で把持可能な後方握り部とを備えて魚釣用釣竿を構成した。
【０００６】
上記構成によれば、把持形態として、前方握り部を片手で把持する片手による把持形態と、前方握り部を片手で把持し、他方の手で後方握り部を手の平で握り込んで両手を使用した把持形態とを選択的に取ることにより、楽な姿勢で竿操作が可能となる。従って、片手による把持形態と、両手による把持形態を選択することにより、楽な姿勢で長時間に亘り、安定した竿操作を実現することが可能となる。
【発明の効果】
【０００７】
以上述べたように、この発明によれば、簡易な構成で、多様な把持形態を実現し得るようにして、長期間に亘る安定した竿操作を実現した魚釣用釣竿を提供することができる。
【発明を実施するための最良の形態】
【０００８】
以下、この発明の実施の形態について、図面を参照して詳細に説明する。
【０００９】
図１及び図２は、この発明の一実施の形態に係る魚釣用釣竿の外観構成を示すもので、図１は、側面から見た状態を示し、図２は、上面から見た状態を示す。
【００１０】
元竿杆１０は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿杆または中実竿杆で形成される。そして、この元竿杆１０には、その後端に後方握り部１１が配される。この後方握り部１１は、例えばゴム、コルク、ウレタン、木やＡＢＳ、ナイロン、ＰＯＭ等の樹脂材料等の軟性材料で、例えば図２及び図３に示すように後端が湾曲した丸みを有し、最大膨出部が竿杆方向の中央より後端側に位置する略雫型形状に形成されて、その先端側における元竿杆１０との接合部に大きな段差が生じることなく把持に適するなだらかな状態に取付けられる。そして、この後方握り部１１は、その竿杆方向の全長Ｌ1が７０ｍｍ以下で、釣り人が手の平で握り込むことが可能な形状寸法である、例えば４０ｍｍ〜７０ｍｍの範囲に形成される。これにより、後方握り部は、手全体で包み込むような確実な握りと共に、その後端の丸みにより握った手が痛くなったりすることの無い良好な感触が実現され、しかも、全方位への投擲に制約を及ぼすことの無い把持が実現される。後端部には、その後端形状をくずすことのないような平面部を設けても良い。
【００１１】
また、元竿杆１０には、リールシート１２がその前方握り部１３に設けられる固定フード１３１の開口端から上記後方握り部１１の後端までの長さ寸法Ｌ2が１７０ｍｍ〜３００ｍｍ、好ましくは２００ｍｍ〜２７０ｍｍに設定される。これにより、リールシート１２は、例えば上記後方握り部１１と所定の間隔Ａだけ離間されて配され、後方握り部１１とリールシート１２との間に露出部１０１が設けられる。
【００１２】
リールシート１２には、そのリールシート本体１２１が上記元竿杆１０に取付けられ、このリールシート本体１２１の先端側の一端部には、上記固定フード１３１が設けられ、その周面に前方握り部１３が配される。この前方握り部１３は、例えばゴム、コルク、ウレタン、木やＡＢＳ、ナイロン、ＰＯＭ等の樹脂材料等の軟性材料で、例えば断面略楕円や円形状等の把持に適した外形形状であって、その竿杆方向の最大膨出部の外径Ｄ1が、上記後方握り部１１の最大膨出部の外径Ｄ2より大径に形成される（図２参照）。
【００１３】
そして、リールシート本体１２１の後端側の他端部には、移動フード１４が上記固定フード１３１に対向して配される。この移動フード１４は、例えば螺子移送機構１５を介して竿杆方向に移動操作自在に設けられ、上記固定フード１３１と協働して上記リールシート本体１２１上に載置された図示しないリールの取付脚を挟持して位置決め固定する。
【００１４】
上記構成において、上記リール（図示せず）をリールシート１２のリールシート本体１２１に取り付ける場合には、先ずリール（図示せず）の取付脚の先端側を固定フード１３１の開口に挿入し、この状態で、移動フード１４を螺子移送機構１５を介して竿杆方向に移動させ、該移動フード１４で取付脚（図示せず）の後端側を保持してリールシート本体１２１に取付ける。
【００１５】
そして、竿操作を行う場合には、前方握り部１３を、一方の手で把持して投擲等の竿操作が行われ、必要に応じて他方の手で、後方握り部１１を手の平で包み込むように把持し、竿操作が行われる。この際、一方の手で前方握り部１３を把持した状態では、後方握り部１１は、前方握り部１３に対して竿杆方向における最大で３００ｍｍの範囲に設定してあることで、一方の腕の肘等が当接したりすること無く、片手操作が実現される。
【００１６】
また、前方握り部１３及び後方握り部１１を両手で把持した状態では、投擲を含む竿操作が、片手での竿操作に比して、手首をあまり使うことなく、行うことが可能となるため、手首への負担が軽減される。この際、後方握り部１１は、手全体で包み込むような握りを実現して、その握った手が痛くなったりすることの無い良好な感触の把持を可能とすると共に、投擲方向に制約を及ぼすことの無い、自由な動きを可能として、全方位の安定した竿操作を可能とする。
【００１７】
また、上記後方握り部１１を握った状態で、釣り人は、下方の握り手の指を元竿杆１０の露出部１０１に載置することにより、その指を通して元竿杆１０から直接的に魚の当たりが感知される。この元竿杆１０の露出部１０１から直接的に感知される魚の当たりに基づいて、合わせのタイミングを取る。
【００１８】
このように、上記魚釣用竿杆は、リールシート本体１２１の先端側に固定フード１３１を配した前方握り部１３を有し、該リールシート本体１２１を挟んだ後端側に移動操作自在な移動フード１４を有したリールシート１２を元竿杆１０に配し、この元竿杆１０の後端で、且つ、固定フード１３１の開口端から１７０ｍｍ〜３００ｍｍの範囲に、最大膨出部が竿杆方向の全長の中央より後端側に位置する形状で最大膨出部径が２０ｍｍ〜３０ｍｍ、好ましくは２３ｍｍ〜２７ｍｍで最大膨出部を境に前後に縮径し、前側よりも後側の方が曲率が大きいことが好ましい、全長が７０ｍｍ以下の手の平内で把持可能な後方握り部１１を配するように構成した。この場合、全長が４０ｍｍより小さくても握り込んだ手の中で遊んでしまい把持性が良くない。
【００１９】
これによれば、把持形態として、前方握り部１３を片手で把持する片手による把持形態と、前方握り部１３を片手で把持し、他方の手で後方握り部１１を手の平で握り占めた両手を使用した把持形態とを選択的に取ることにより、楽な姿勢で竿操作が可能となり、長時間に亘り、安定した竿操作を実現することができる。
【００２０】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２１】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２２】
【図１】この発明の一実施の形態に係る魚釣用釣竿の要部を取り出して平面図である。
【図２】図１を上面から見た状態を示した平面図である。
【図３】図１の後方握り部を後端から見た状態を示した平面図である。
【図４】図１の後方握り部を側部から見た状態を示した平面図である。
【符号の説明】
【００２３】
１０…元竿杆、１０１…露出部、１１…後方握り部、１２…リールシート、１２１…リールシート本体、１３…前方握り部、１３１…固定フード、１４…移動フード、１５…螺子移送機構。
【図１】
2006006279.tif 000003
【図２】
2006006279.tif 000004
【図３】
2006006279.tif 000005
【図４】
2006006279.tif 000006